(57)【要約】【課題】基地局装置１の外付けフィルタ２及びアンテナ３に係る異常を検知する基地局装置１及び基地局装置１の制御方法を提供する。【解決手段】外付けフィルタ２が未接続であるか、広帯域外付けフィルタであるか、又は狭帯域外付けフィルタであるかを示すフラグを格納するメモリ６と、アンテナ３から所定の送信帯域で送信する進行波及び該進行波の反射波の周波数特性レベルを取得する周波数特性レベル取得部２６と、進行波及び反射波の周波数特性レベルからＶＳＷＲ周波数特性を算出し、ＶＳＷＲ周波数特性と、フラグとに基づき、外付けフィルタ２又はアンテナ３の少なくとも一方が異常であることを判定する制御部５と、を備える。【選択図】図１
2013146026.tif 000002
【特許請求の範囲】
【請求項１】
アンテナの端子に外付けフィルタを接続可能な基地局装置であって、
前記外付けフィルタが未接続であるか、広帯域外付けフィルタであるか、又は狭帯域外付けフィルタであるかを示すフラグを格納するメモリと、
前記アンテナから所定の送信帯域で送信する進行波及び該進行波の反射波の周波数特性レベルを取得する周波数特性レベル取得部と、
前記進行波及び前記反射波の周波数特性レベルからＶＳＷＲ周波数特性を算出し、該ＶＳＷＲ周波数特性と、前記フラグとに基づき、前記外付けフィルタ又は前記アンテナの少なくとも一方が異常であることを判定する制御部と、
を備える基地局装置。
【請求項２】
前記制御部は、前記フラグが前記未接続であるか又は前記広帯域外付けフィルタであることを示す場合で、かつ前記送信帯域のうち一部の帯域における前記ＶＳＷＲ周波数特性が所定の閾値以上である場合、前記外付けフィルタが異常であると判定することを特徴とする、請求項１に記載の基地局装置。
【請求項３】
前記制御部は、前記フラグが前記狭帯域外付けフィルタであることを示す場合で、かつ前記送信帯域のうち一部の帯域における前記ＶＳＷＲ周波数特性が所定の閾値以上である場合、前記外付けフィルタが正常であると判定することを特徴とする、請求項１又は２に記載の基地局装置。
【請求項４】
前記制御部は、前記送信帯域の全域における前記ＶＳＷＲ周波数特性が所定の閾値以上である場合、前記外付けフィルタ又は前記アンテナが緊急的異常であると判定することを特徴とする、請求項１乃至３のいずれか１項に記載の基地局装置。
【請求項５】
アンテナの端子に外付けフィルタを接続可能な基地局装置の制御方法であって、
前記外付けフィルタが未接続であるか、広帯域外付けフィルタであるか、又は狭帯域外付けフィルタであるかを示すフラグをメモリに格納するステップと、
前記アンテナから所定の送信帯域で送信する進行波及び該進行波の反射波の周波数特性レベルを取得するステップと、
前記進行波及び前記反射波の周波数特性レベルからＶＳＷＲ周波数特性を算出し、該ＶＳＷＲ周波数特性と、前記フラグとに基づき、前記外付けフィルタ又は前記アンテナの少なくとも一方が異常であることを判定するステップと、
を含む基地局装置の制御方法。
【請求項６】
前記判定するステップは、前記フラグが前記未接続であるか又は前記広帯域外付けフィルタであることを示す場合で、かつ前記送信帯域のうち一部の帯域における前記ＶＳＷＲ周波数特性が所定の閾値以上である場合、前記外付けフィルタが異常であると判定することを特徴とする、請求項５に記載の基地局装置の制御方法。
【請求項７】
前記判定するステップは、前記フラグが前記狭帯域外付けフィルタであることを示す場合で、かつ前記送信帯域のうち一部の帯域における前記ＶＳＷＲ周波数特性が所定の閾値以上である場合、前記外付けフィルタが正常であると判定することを特徴とする、請求項５又は６に記載の基地局装置の制御方法。
【請求項８】
前記判定するステップは、前記送信帯域の全域における前記ＶＳＷＲ周波数特性が所定の閾値以上である場合、前記外付けフィルタ又は前記アンテナが緊急的異常であると判定することを特徴とする、請求項５乃至７のいずれか１項に記載の基地局装置の制御方法。
【発明の詳細な説明】
【技術分野】
【０００１】
本発明は、アンテナの端子に外付けフィルタを接続可能な基地局装置及び基地局装置の制御方法に関する。
【背景技術】
【０００２】
移動通信の基地局装置などでは、隣接する他の無線システムの基地局装置との干渉が生じる問題があり（例えば特許文献１）、干渉対策としてスプリアス除去のために外付けフィルタ等のフィルタが使用される場合がある。例えば量産型の基地局装置よりもスプリアス除去要求が厳しい場合に外付けフィルタを用いるので、外付けフィルタの特性は非常に急峻なものとなる。また、使用周波数帯域がガードバンド無しに他システムと隣接する場合に、外付けフィルタが使用される。
【先行技術文献】
【特許文献】
【０００３】
【特許文献１】特開２００８−１７２４４３号公報
【発明の概要】
【発明が解決しようとする課題】
【０００４】
しかしながら、自局の周波数帯域のフラットネスを犠牲にして急峻な特性の外付けフィルタを使用する場合、外付けフィルタとのインピーダンスのミスマッチングによりＲＦ信号の反射波が発生する。基地局装置はアンテナの異常検出を行うためのＶＳＷＲ（Ｖｏｌｔａｇｅ Ｓｔａｎｄｉｎｇ Ｗａｖｅ Ｒａｔｉｏ：電圧定在波比）検出回路を設けることがあるが、従来のＶＳＷＲ検出では、送信帯域内の反射波レベルの全ての総和によりＶＳＷＲを検出している。そうすると当該反射波の影響により、ＶＳＷＲが劣化し、アンテナの異常検出の精度が劣化してしまっていた。
【０００５】
また従来の基地局装置は、自局の送信帯域と正しい組み合わせの外付けフィルタが接続されたのか、誤接続なのかを判定することができず、外付けフィルタの接続異常を判断することができなかった。同様に外付けフィルタの施工の妥当性確認が上位制御網で把握できなかった。仮に外付けフィルタに異常がある基地局装置を動作させた場合、近隣帯域の無線システムにスプリアスが悪影響を及ぼし、或いは自局のスループット低下を招いてしまっていた。
【０００６】
したがって、上記のような問題点に鑑みてなされた本発明の目的は、基地局装置の外付けフィルタ及びアンテナに係る異常を検知する基地局装置及び基地局装置の制御方法を提供することにある。
【課題を解決するための手段】
【０００７】
上記課題を解決するために本発明に係る基地局装置は、
アンテナの端子に外付けフィルタを接続可能な基地局装置であって、
前記外付けフィルタが未接続であるか、広帯域外付けフィルタであるか、又は狭帯域外付けフィルタであるかを示すフラグを格納するメモリと、
前記アンテナから所定の送信帯域で送信する進行波及び該進行波の反射波の周波数特性レベルを取得する周波数特性レベル取得部と、
前記進行波及び前記反射波の周波数特性レベルからＶＳＷＲ周波数特性を算出し、該ＶＳＷＲ周波数特性と、前記フラグとに基づき、前記アンテナ又は前記外付けフィルタの少なくとも一方が異常であることを判定する制御部と、
を備えることを特徴とする。
【０００８】
また本発明に係る基地局装置は、
前記制御部が、前記フラグが前記未接続であるか又は前記広帯域外付けフィルタであることを示す場合で、かつ前記送信帯域のうち一部の帯域における前記ＶＳＷＲ周波数特性が所定の閾値以上である場合、前記外付けフィルタが異常であると判定することを特徴とする。
【０００９】
また本発明に係る基地局装置は、
前記制御部は、前記フラグが前記狭帯域外付けフィルタであることを示す場合で、かつ前記送信帯域のうち一部の帯域における前記ＶＳＷＲ周波数特性が所定の閾値以上である場合、前記外付けフィルタが正常であると判定することを特徴とする。
【００１０】
また本発明に係る基地局装置は、
前記制御部が、前記送信帯域の全域における前記ＶＳＷＲ周波数特性が所定の閾値以上である場合、前記アンテナ又は前記外付けフィルタが緊急的異常であると判定することを特徴とする。
【００１１】
また本発明に係る基地局装置の制御方法は、
アンテナの端子に外付けフィルタを接続可能な基地局装置の制御方法であって、
前記外付けフィルタが未接続であるか、広帯域外付けフィルタであるか、又は狭帯域外付けフィルタであるかを示すフラグをメモリに格納するステップと、
前記アンテナから所定の送信帯域で送信する進行波及び該進行波の反射波の周波数特性レベルを取得するステップと、
前記進行波及び前記反射波の周波数特性レベルからＶＳＷＲ周波数特性を算出し、該ＶＳＷＲ周波数特性と、前記フラグとに基づき、前記アンテナ又は前記外付けフィルタの少なくとも一方が異常であることを判定するステップと、
を含むことを特徴とする。
【００１２】
また本発明に係る基地局装置の制御方法は、
前記判定するステップが、前記フラグが前記未接続であるか又は前記広帯域外付けフィルタであることを示す場合で、かつ前記送信帯域のうち一部の帯域における前記ＶＳＷＲ周波数特性が所定の閾値以上である場合、前記外付けフィルタが異常であると判定することを特徴とする。
【００１３】
また本発明に係る基地局装置の制御方法は、
前記判定するステップが、前記フラグが前記狭帯域外付けフィルタであることを示す場合で、かつ前記送信帯域のうち一部の帯域における前記ＶＳＷＲ周波数特性が所定の閾値以上である場合、前記外付けフィルタが正常であると判定することを特徴とする。
【００１４】
また本発明に係る基地局装置の制御方法は、
前記判定するステップは、前記送信帯域の全域における前記ＶＳＷＲ周波数特性が所定の閾値以上である場合、前記アンテナ又は前記外付けフィルタが緊急的異常であると判定することを特徴とする
【発明の効果】
【００１５】
本発明における基地局装置及び基地局装置の制御方法によれば、基地局装置の外付けフィルタ及びアンテナに係る異常を検知することができる。
【図面の簡単な説明】
【００１６】
【図１】本発明の一実施形態に係る基地局装置のブロック図である。
【図２】外付けフィルタの特性と、進行波及び反射波との関係を示す概念図である。
【図３Ａ】本発明の一実施形態に係る基地局装置の動作を示すフローチャートの一部である。
【図３Ｂ】本発明の一実施形態に係る基地局装置の動作を示すフローチャートの一部である。
【図３Ｃ】本発明の一実施形態に係る基地局装置の動作を示すフローチャートの一部である。
【発明を実施するための形態】
【００１７】
以下、本発明の実施の形態について説明する。
【００１８】
（実施の形態）
図１は本発明の一実施形態に係る基地局装置１のブロック図である。本発明の一実施形態に係る基地局装置１は、概略構成として外付けフィルタ２と、アンテナ３と、送信部４と、制御部５と、メモリ６と、通知部７とを備える。
【００１９】
外付けフィルタ２は、アンテナ３の端子に接続される、所定の通過特性を有するフィルタである。外付けフィルタ２は、隣接する他の無線システムの基地局装置との干渉対策としてスプリアス除去のために設けられる。
【００２０】
送信部４は、送信信号を外付けフィルタ２及びアンテナ３を介して送信する。送信部４は、ＯＦＤＭ信号生成装置１１と、イコライザ１２と、デジタルアナログ変換器（ＤＡＣ）１３ａと、ＤＡＣ１３ｂと、ローパスフィルタ（ＬＰＦ）１４ａと、ＬＰＦ１４ｂとＩＱ変調器１５と、局部発振器（ＬＯ）１６と、アンプ（ＡＭＰ）１７とパワーアンプ（ＰＡ）１８と、アイソレータ（ＩＳＯ）１９と、バンドパスフィルタ（ＢＰＦ）２０と、進行波カプラ２１と、サーキュレータ２２と、反射波カプラ２３と、終端器２４と、ＲＦスイッチ２５と、周波数特性レベル取得部２６とを備える。
【００２１】
ＯＦＤＭ信号生成装置１１は、送信部４により送信する送信信号をイコライザ１２に入力する。イコライザ１２は、該送信信号をＩチャンネルのベースバンド信号及びＱチャンネルのベースバンド信号に変換する。そしてイコライザ１２は、Ｉチャンネルのベースバンド信号及びＱチャンネルのベースバンド信号を、それぞれＤＡＣ１３ａとＤＡＣ１３ｂとに出力する。
【００２２】
ＤＡＣ１３ａ及びＤＡＣ１３ｂは、それぞれＩチャンネル及びＱチャンネルのベースバンド信号をアナログ信号に変換する。ＬＰＦ１４ａ及びＬＰＦ１４ｂは、ＤＡＣ１３ａ及びＤＡＣ１３ｂが出力したアナログ信号の高調波を除去する。
【００２３】
ＩＱ変調器１５は、アナログ信号と、ＬＯ１６が出力した局部発振周波数信号を受取り、該アナログ信号を無線周波数帯域の高周波信号に直交変調する。ＡＭＰ１７及びＰＡ１８は該高周波信号を増幅する。
【００２４】
ＩＳＯ１９は、入力があった信号を決まった方向にだけ出力する。具体的にはＰＡ１８から出力された高周波信号受け取り、該高周波信号をＢＰＦ２０に出力する。ＢＰＦ２０は不要波をフィルタリングした主信号を進行波カプラ２１に渡す。進行波カプラ２１は主信号、すなわち進行波をサーキュレータ２２及びＲＦスイッチ２５に出力する。
【００２５】
サーキュレータ２２は進行波カプラ２１からの進行波を外付けフィルタ２に出力する。またサーキュレータ２２は、外付けフィルタ２からの反射波を、反射波カプラ２３に出力する。なお、反射波は、サーキュレータ２２から出力された進行波が、外付けフィルタ２の不使用帯域について減衰した場合に該帯域において発生する。また反射波は、アンテナ３が折れている等の欠損又は破損の際に発生する。
【００２６】
なお、サーキュレータ２２の代わりに、方向性結合器を用いてもよい。方向性結合器を用いた場合も同様に、進行波カプラ２１からの進行波を外付けフィルタ２に出力し、一方で外付けフィルタ２からの反射波を、反射波カプラ２３に出力する。
【００２７】
反射波カプラ２３は、サーキュレータ２２から受取った反射波を、終端器２４に出力して終端し、またはＲＦスイッチ２５に出力する。
【００２８】
ＲＦスイッチ２５は、進行波カプラ２１からの進行波、又は反射波カプラ２３からの反射波のいずれかを、周波数特性レベル取得部２６に出力するためのスイッチである。すなわちＲＦスイッチ２５が進行波又は反射波を周波数特性レベル取得部２６に渡すことにより、周波数特性レベル取得部２６は、進行波又は反射波のどちらかを監視することができる。
【００２９】
周波数特性レベル取得部２６は、ＲＦスイッチ２５から受取った進行波又は反射波の周波数特性レベルを取得する。周波数特性レベルとは、各周波数帯域における進行波又は反射波の分布、すなわち進行波又は反射波の周波数スペクトルである。好ましくは、周波数特性レベル取得部２６はＤＰＤ（Ｄｉｇｉｔａｌ ＰｒｅＤｉｓｔｏｒｔｉｏｎ）フィードバック回路により構成される。
【００３０】
周波数特性レベル取得部２６は、ＢＰＦ２６１と、混合器（ＭＩＸ）２６２と、ＬＯ２６３と、ＡＭＰ２６４と、ＩＱ復調器２６５と、ＬＰＦ２６６ａと、ＬＰＦ２６６ｂと、アナログデジタル変換器（ＡＤＣ）２６７ａと、ＡＤＣ２６７ｂと、ＦＦＴ部２６８とを備える。
【００３１】
ＢＰＦ２６１は、ＲＦスイッチ２５からの進行波又は反射波を受取り、不要波をフィルタリングする。そしてＢＰＦ２６１はフィルタリングした進行波又は反射波をＭＩＸ２６２に渡す。
【００３２】
ＭＩＸ２６２は、進行波又は反射波と、ＬＯ２６３からの局部発振周波数信号とを合成する。ＡＭＰ２６４は当該合成された進行波又は反射波を増幅する。増幅された進行波又は反射波は、ＩＱ復調器２６５にて復調される。
【００３３】
ＬＰＦ２６６ａ及びＬＰＦ２６６ｂは、復調された進行波又は反射波の高調波成分を除去する。ＡＤＣ２６７ａ及びＡＤＣ２６７ｂは、進行波又は反射波をアナログ信号からデジタル信号に変換する。
【００３４】
ＦＦＴ部２６８は進行波又は反射波に係るデジタル信号をフーリエ変換し、進行波又は反射波に係る周波数特性レベルを取得し、イコライザ１２及び制御部５に渡す。
【００３５】
制御部５は、基地局装置１に係る各種制御を行う。具体的には制御部５は、メモリ６に格納された基地局装置１に係る各設定値を取得する。各設定値は、基地局装置１に係る送信帯域の設定値と、ＶＳＷＲ検出スレッシュの設定値と、外付けフィルタ２に係るフラグとを含む。ＶＳＷＲ検出スレッシュは、基地局装置１の外付けフィルタ２及びアンテナ３に係る異常を検知するための、ＶＳＷＲに係る所定の閾値である。また制御部５は、周波数特性レベル取得部２６により取得した進行波及び反射波の周波数特性レベルに基づき、ＶＳＷＲ周波数特性を算出する。ＶＳＷＲ周波数特性とは、各周波数帯域におけるＶＳＷＲの分布、すなわちＶＳＷＲの周波数スペクトルである。
【００３６】
外付けフィルタ２に係るフラグは基地局装置１に接続すべき外付けフィルタ２の種別を示すフラグである。当該フラグは運用時に予めメモリ６に格納される。当該フラグは、好ましくは０、１、２の三値をとる。フラグが０の場合は、外付けフィルタ２を未接続にする、すなわち基地局装置１に外付けフィルタ２を備えないことを示す。フラグが１の場合は、広帯域外付けフィルタを接続することを示す。フラグが２の場合は、狭帯域外付けフィルタを接続することを示す。なお広帯域外付けフィルタは、フィルタを通過させる周波数帯域が、送信帯域と比較して広い外付けフィルタである。一方狭帯域外付けフィルタは、フィルタを通過させる周波数帯域が、送信帯域と比較して狭い外付けフィルタである。
【００３７】
制御部５は、外付けフィルタ２に係るフラグと、算出したＶＳＷＲ周波数特性とに基づき、外付けフィルタ２又はアンテナ３に係る異常を判定する。そして制御部５は判定結果を通知部７に渡す。通知部７は、制御部５から受取った判定結果を、上位制御網８に通知する。
【００３８】
以下、制御部５による外付けフィルタ２又はアンテナ３に係る異常の判定について、図２を用いて具体的に説明する。
【００３９】
図２は、外付けフィルタ２の特性と、進行波及び反射波との関係を示す概念図である。図２（ａ）〜（ｄ）は各々、外付けフィルタ２が未接続の場合の進行波及び反射波、外付けフィルタ２として広帯域外付けフィルタを接続した場合の進行波及び反射波、外付けフィルタ２として狭帯域外付けフィルタを接続した場合の進行波及び反射波、外付けフィルタ２を誤って接続した場合の進行波及び反射波の概念図を示す。図２（ａ）〜（ｄ）において横軸は周波数であり、縦軸は信号強度を示す。
【００４０】
外付けフィルタ２が未接続の場合、アンテナ３に異常が無ければ図２（ａ）に示すように反射波は検出されない。
【００４１】
外付けフィルタ２として広帯域外付けフィルタを接続した場合、図２（ｂ）に示すように反射波は送信帯域において僅かに生じる。
【００４２】
外付けフィルタ２として狭帯域外付けフィルタを接続した場合、図２（ｃ）に示すように送信帯域の一部、具体的には送信帯域の帯域端（両端又は片端）において反射波が発生する。なお図２（ｃ）は、片端において反射波が発生している例を示している。
【００４３】
外付けフィルタ２を誤って接続した場合、すなわち、外付けフィルタ２により通過させる周波数帯域が、基地局装置１の送信帯域と全く一致しない場合、図２（ｄ）に示すように、送信帯域の全域で所定以上の反射波が発生する。
【００４４】
また図２には図示していないが、アンテナ３に異常がある場合にも反射波は生じる。例えばアンテナ３が破損、欠損等している場合には、送信帯域全域で所定以上の反射波が発生する。
【００４５】
このような外付けフィルタ２と反射波との関係に基づき、制御部５は外付けフィルタ２又はアンテナ３に係る異常を判定する。
【００４６】
具体的には制御部５は、フラグが０又は１で、ＶＳＷＲ周波数特性が送信帯域全域でＶＳＷＲ検出スレッシュ未満の場合、各々図２（ａ）、図２（ｂ）の場合に該当するため、外付けフィルタ２又はアンテナ３は異常ではない、つまり正常であると判定する。一方、制御部５は、フラグが２で、ＶＳＷＲ周波数特性が送信帯域全域でＶＳＷＲ検出スレッシュ未満の場合、外付けフィルタ２として狭帯域外付けフィルタが接続されていれば図２（ｃ）に示すように一部の帯域で本来反射波が発生するはずであるため、外付けフィルタ２が異常であると判定する。具体的にはこの場合には、狭帯域外付けフィルタが未接続であるか、又は広帯域外付けフィルタが誤って接続されている。この場合、基地局装置１は通信可能であるため緊急の対応は必要ないものの、近隣帯域の無線システムにスプリアスが悪影響を及ぼす可能性がある。
【００４７】
また制御部５は、フラグが０、１、又は２で、ＶＳＷＲ周波数特性が送信帯域全域でＶＳＷＲ検出スレッシュ以上の場合、アンテナ３が欠損等しているか、又は図２（ｄ）の場合に該当するため、外付けフィルタ２又はアンテナ３は緊急的異常だと判定する。緊急的異常とは、基地局装置１が通信をできない状態であるため、緊急の対応を必要とする異常であることを意味する。
【００４８】
また制御部５は、フラグが０又は１で、ＶＳＷＲ周波数特性が送信帯域の一部でＶＳＷＲ検出スレッシュ以上の場合、本来は夫々図２（ａ）、図２（ｂ）の場合に該当し反射波が発生しないため、外付けフィルタ２又はアンテナ３は異常だと判定する。この場合は、アンテナ３に係る異常、又は外付けフィルタ２として狭帯域外付けフィルタ２を誤接続している、又は、広帯域外付けフィルタにより通過させる帯域の一部が送信帯域と一致していない、すなわち外付けフィルタ２を誤って接続している場合が考えられる。この場合には基地局装置１は通信可能であるため緊急の対応は必要ないものの、基地局装置１のスループットが低下する可能性がある。
【００４９】
一方、制御部５は、フラグが２で、ＶＳＷＲ周波数特性が送信帯域の一部でＶＳＷＲ検出スレッシュ以上の場合、図２（ｃ）の場合に該当するため、外付けフィルタ２が正常であると判定する。
【００５０】
次に、本発明に係る基地局装置１の動作について、図３Ａ〜Ｃに示すフローチャートによりその動作を説明する。
【００５１】
はじめに制御部５は、メモリ６に格納された基地局装置１に係る各設定値を取得する（ステップ１）。具体的には制御部５は、基地局装置１に係る送信帯域の設定値と、ＶＳＷＲ検出スレッシュの設定値と、外付けフィルタ２に係るフラグとを、メモリ６から取得する。
【００５２】
次に周波数特性レベル取得部２６は、ＲＦスイッチ２５から進行波を受け取り、進行波の周波数特性レベルを取得する（ステップＳ２）。周波数特性レベル取得部２６は取得した進行波の周波数特性レベルを制御部５に渡す。
【００５３】
続いて周波数特性レベル取得部２６は、ＲＦスイッチ２５から反射波を受取り、反射波の周波数特性レベルを取得する（ステップＳ３）。周波数特性レベル取得部２６は取得した反射波の周波数特性レベルを制御部５に渡す。
【００５４】
続いて制御部５は、周波数特性レベル取得部２６により取得した進行波及び反射波の周波数特性レベルに基づき、ＶＳＷＲ周波数特性を算出する（ステップＳ４）。
【００５５】
続いて制御部５は、ステップＳ１において取得した外付けフィルタ２に係るフラグが０であるか否かを判定する（ステップＳ５）。該フラグが０である場合はステップＳ６に進み、該フラグが０でない場合は、ステップＳ１１に進む。
【００５６】
フラグが０である場合、制御部５は、算出したＶＳＷＲ周波数特性が、基地局装置１の送信帯域の全域でＶＳＷＲ検出スレッシュ未満であるか否かを判定する（ステップＳ６）。
【００５７】
そしてＶＳＷＲ周波数特性が、基地局装置１の送信帯域の全域でＶＳＷＲ検出スレッシュ未満である場合、制御部５は、外付けフィルタ２又はアンテナ３は異常ではない、つまり正常であると判定する。通知部７は当該判定結果を上位制御網８に通知する（ステップＳ７）。そして処理が終了する。
【００５８】
一方、制御部５は、ＶＳＷＲ周波数特性が基地局装置１の送信帯域の全域でＶＳＷＲ検出スレッシュ未満ではない場合、基地局装置１の送信帯域の全域でＶＳＷＲ検出スレッシュ以上であるか否かを判定する（ステップＳ８）。
【００５９】
そして制御部５は、ＶＳＷＲ周波数特性が基地局装置１の送信帯域の全域でＶＳＷＲ検出スレッシュ以上である場合、外付けフィルタ２又はアンテナ３は緊急的異常だと判定する。通知部７は当該判定結果を上位制御網８に通知する（ステップＳ９）。そして処理が終了する。このように、フラグが０、すなわち外付けフィルタ２が未接続であることを示す場合で、ＶＳＷＲ周波数特性が送信帯域の全域でＶＳＷＲ検出スレッシュ以上の場合に外付けフィルタ２又はアンテナ３が緊急的異常であることを正確に判定し、上位制御網８で当該緊急的異常を把握できる。
【００６０】
一方、制御部５は、ＶＳＷＲ周波数特性が基地局装置１の送信帯域の全域でＶＳＷＲ検出スレッシュ以上でない場合、つまりＶＳＷＲ周波数特性が送信帯域の一部でＶＳＷＲ検出スレッシュ以上の場合には、外付けフィルタ２は異常だと判定する。通知部７は当該判定結果を上位制御網８に通知する（ステップＳ１０）。そして処理が終了する。このように、フラグが０、すなわち外付けフィルタ２が未接続であることを示す場合で、ＶＳＷＲ周波数特性が送信帯域の一部でＶＳＷＲ検出スレッシュ以上の場合に外付けフィルタ２が異常であることを正確に判定し、上位制御網８で当該異常を把握できる。
【００６１】
ステップＳ５の判定の結果、フラグが０でない場合には、制御部５は、フラグが１であるか否かを判定する（ステップＳ１１）。該フラグが１である場合はステップＳ１２に進み、該フラグが１でない場合は、ステップＳ１７に進む。
【００６２】
フラグが１である場合、制御部５は、算出したＶＳＷＲ周波数特性が、基地局装置１の送信帯域の全域でＶＳＷＲ検出スレッシュ未満であるか否かを判定する（ステップＳ１２）。
【００６３】
そしてＶＳＷＲ周波数特性が、基地局装置１の送信帯域の全域でＶＳＷＲ検出スレッシュ未満である場合、制御部５は、外付けフィルタ２又はアンテナ３は異常ではない、つまり正常であると判定する。通知部７は当該判定結果を上位制御網８に通知する（ステップＳ１３）。そして処理が終了する。
【００６４】
一方、制御部５は、ＶＳＷＲ周波数特性が基地局装置１の送信帯域の全域でＶＳＷＲ検出スレッシュ未満ではない場合、基地局装置１の送信帯域の全域でＶＳＷＲ検出スレッシュ以上であるか否かを判定する（ステップＳ１４）。
【００６５】
そして制御部５は、ＶＳＷＲ周波数特性が基地局装置１の送信帯域の全域でＶＳＷＲ検出スレッシュ以上である場合、外付けフィルタ２又はアンテナ３は緊急的異常だと判定する。通知部７は当該判定結果を上位制御網８に通知する（ステップＳ１５）。そして処理が終了する。このように、フラグが１、すなわち外付けフィルタ２が広帯域フィルタであることを示す場合で、ＶＳＷＲ周波数特性が送信帯域の全域でＶＳＷＲ検出スレッシュ以上の場合に外付けフィルタ２又はアンテナ３が緊急的異常であることを正確に判定し、上位制御網８で当該緊急的異常を把握できる。
【００６６】
一方、制御部５は、ＶＳＷＲ周波数特性が基地局装置１の送信帯域の全域でＶＳＷＲ検出スレッシュ以上でない場合、つまりＶＳＷＲ周波数特性が送信帯域の一部でＶＳＷＲ検出スレッシュ以上の場合には、外付けフィルタ２又はアンテナ３は異常だと判定する。通知部７は当該判定結果を上位制御網８に通知する（ステップＳ１６）。そして処理が終了する。このように、フラグが１、すなわち外付けフィルタ２が広帯域外付けフィルタであることを示す場合で、ＶＳＷＲ周波数特性が送信帯域の一部でＶＳＷＲ検出スレッシュ以上の場合に外付けフィルタ２が異常であることを正確に判定し、上位制御網８で当該異常を把握できる。
【００６７】
ステップＳ１１の判定の結果、フラグが１でない場合には、制御部５は、フラグが２であるか否かを判定する（ステップＳ１７）。該フラグが２である場合はステップＳ１８に進み、該フラグが２でない場合は、ステップＳ２３に進む。
【００６８】
フラグが２である場合、制御部５は、算出したＶＳＷＲ周波数特性が、基地局装置１の送信帯域の全域でＶＳＷＲ検出スレッシュ未満であるか否かを判定する（ステップＳ１８）。
【００６９】
そしてＶＳＷＲ周波数特性が、基地局装置１の送信帯域の全域でＶＳＷＲ検出スレッシュ未満である場合、制御部５は、外付けフィルタ２又はアンテナ３は異常であると判定する。通知部７は当該判定結果を上位制御網８に通知する（ステップＳ１９）。そして処理が終了する。
【００７０】
一方、制御部５は、ＶＳＷＲ周波数特性が基地局装置１の送信帯域の全域でＶＳＷＲ検出スレッシュ未満ではない場合、基地局装置１の送信帯域の全域でＶＳＷＲ検出スレッシュ以上であるか否かを判定する（ステップＳ２０）。
【００７１】
そして制御部５は、ＶＳＷＲ周波数特性が基地局装置１の送信帯域の全域でＶＳＷＲ検出スレッシュ以上である場合、外付けフィルタ２又はアンテナ３は緊急的異常だと判定する。通知部７は当該判定結果を上位制御網８に通知する（ステップＳ２１）。そして処理が終了する。このように、フラグが２、すなわち外付けフィルタ２が狭帯域フィルタであることを示す場合で、ＶＳＷＲ周波数特性が送信帯域の全域でＶＳＷＲ検出スレッシュ以上の場合に外付けフィルタ２又はアンテナ３が緊急的異常であることを正確に判定し、上位制御網８で当該緊急的異常を把握できる。
【００７２】
一方、制御部５は、ＶＳＷＲ周波数特性が基地局装置１の送信帯域の全域でＶＳＷＲ検出スレッシュ以上でない場合、つまりＶＳＷＲ周波数特性が送信帯域の一部でＶＳＷＲ検出スレッシュ以上の場合には、外付けフィルタ２又はアンテナ３は正常だと判定する。通知部７は当該判定結果を上位制御網８に通知する（ステップＳ２２）。そして処理が終了する。このように、フラグが２、すなわち外付けフィルタ２が狭帯域外付けフィルタであることを示す場合で、ＶＳＷＲ周波数特性が送信帯域の一部でＶＳＷＲ検出スレッシュ以上の場合に外付けフィルタ２が正常であることを正確に判定し、上位制御網８で当該正常の事実を把握できる。
【００７３】
ステップＳ１７の判定の結果、フラグが２でない場合には、制御部５は、外付けフィルタ２に係るフラグが未設定である旨の異常の判定をし、通知部７は当該判定結果を上位制御網８に通知する（ステップＳ２３）。そして処理が終了する。
【００７４】
このように本発明によれば、制御部５が進行波及び反射波の周波数特性レベルから算出したＶＳＷＲ周波数特性とメモリ６に格納されたフラグとに基づき、基地局装置１の外付けフィルタ２及びアンテナ３に係る異常を正確に検知でき、また通知部７が当該異常を上位制御網８に通知するため、上位制御網８で当該異常を把握できる。そして上位制御網８により遠隔で基地局装置１の状況を詳しく把握することが可能であるためアンテナ診断結果に対する精度向上、対応の緊急性の判断や、対策方法を予め精度良く検討することが可能になり、システム維持管理の効率化を図ることができる。
【００７５】
なお、外付けフィルタ２に係るフラグは０、１、２の三値を取るものとして説明したがこれに限られず、外付けフィルタ２の種類等に応じて、より少ない又は多い値を取ってもよい。また、フラグは数値として記載したがこれに限られず、例えば“広帯域外付けフィルタ”、“狭帯域外付けフィルタ”等の文字列であってもよい。
【００７６】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各手段、各ステップ等に含まれる機能等は論理的に矛盾しないように再配置可能であり、複数の手段やステップ等を１つに組み合わせたり、或いは分割したりすることが可能である。
【符号の説明】
【００７７】
１  基地局装置
１１  ＯＦＤＭ信号生成装置
１２  イコライザ
１３ａ、１３ｂ  ＤＡＣ
１４ａ、１４ｂ  ＬＰＦ
１５  ＩＱ変調器
１６  ＬＯ
１７  ＡＭＰ
１８  ＰＡ
１９  ＩＳＯ
２０  ＢＰＦ
２１  進行波カプラ
２２  サーキュレータ
２３  反射波カプラ
２４  終端器
２５  ＲＦスイッチ
２６  周波数特性レベル取得部
２６１  ＢＰＦ
２６２  ＭＩＸ
２６３  ＬＯ
２６４  ＡＭＰ
２６５  ＩＱ復調器
２６６ａ、２６６ｂ  ＬＰＦ
２６７ａ、２６７ｂ  ＡＤＣ
２６８  ＦＦＴ部
２  外付けフィルタ
３  アンテナ
４  送信部
５  制御部
６  メモリ
７  通知部
８  上位制御網
【図１】
2013146026.tif 000003
【図２】
2013146026.tif 000004
【図３Ａ】
2013146026.tif 000005
【図３Ｂ】
2013146026.tif 000006
【図３Ｃ】
2013146026.tif 000007